(57)【要約】【課題】小壁と持出し部とが線膨張係数の異なる材料で形成してあっても、温度変化による伸縮によって小壁と持出し部とに割れ等の損傷が発生しない浴室ユニットの持出し部と小壁の取付構造を提供する。【解決手段】一側面の横方向の一部に略箱状の持出し部２を出窓状に張り出すと共に、前記一側面に持出し部２に隣接して側壁１の一部となる小壁３を設ける浴室ユニットＵにおいて、持出し部２の小壁３が接続される端部に内壁面に係止部４１を設けた開口溝４を形成し、該開口溝４に開口縁側に露出する端面に螺着孔５３を設けて且つ前記係止部４１に係止される被係止部５１を設けた挿入部材５を挿入し、小壁３の持出し部２が接続される端部に螺着具挿通孔３１を形成し、螺着具５２を前記小壁３の螺着具挿通孔３１に挿通して持出し部２の開口溝４に挿入した挿入部材５の螺着孔５２に螺着した。【選択図】　　　　図１
2004060236.tif 000002
【特許請求の範囲】
【請求項１】
一側面の横方向の一部に略箱状の持出し部を出窓状に張り出すと共に、前記一側面に持出し部に隣接して側壁の一部となる小壁を設ける浴室ユニットにおいて、持出し部の小壁が接続される端部に内壁面に係止部を設けた開口溝を形成し、該開口溝に開口縁側に露出する端面に螺着孔を設けて且つ前記係止部に係止される被係止部を設けた挿入部材を挿入し、小壁の持出し部が接続される端部に螺着具挿通孔を形成し、螺着具を前記小壁の螺着具挿通孔に挿通して持出し部の開口溝に挿入した挿入部材の螺着孔に螺着して成ることを特徴とする浴室ユニットの持出し部と小壁の取付構造。
【請求項２】
持出し部の上下方向を長手方向とする端片を両側からそれぞれ挿入部材と小壁とで挟持して固定することを特徴とする請求項１記載の浴室ユニットの持出し部と小壁の取付構造。
【請求項３】
浴室ユニットの床パンの周端縁の縦片に被嵌される切欠を持出し部の下端部に形成することを特徴とする請求項１又は２記載の浴室ユニットの持出し部と小壁の取付構造。
【発明の詳細な説明】
【０００１】
【発明の属する技術分野】
本発明は、浴室ユニットの持出し部と小壁の取付構造に関するものである。
【０００２】
【従来の技術】
従来より、一側面に持出し部及びドア部を隣接して設ける浴室ユニットが用いられている。これは、浴室ユニットの一側面の一方の略半部に浴室ユニット内方に面する側のみ開口した略箱状の持出し部を取付け、他方の略半部に小壁を介してドア部を設けるものである。
【０００３】
小壁は、ドア部のドア枠と持出し部の側壁部との間に配設される浴室ユニットの側面の一部をなすもので、従来においては、小壁と持出し部とを接着材やねじ等の固着具を用いて直接固定していた。
【０００４】
しかしながらこのような従来のものにあっては、小壁と持出し部とが線膨張係数の異なる材料で形成してある場合、温度変化によって小壁と持出し部が伸縮するとこれらの間に伸縮差が発生してしまい、剛に取付けられた小壁と持出し部とに割れ等の損傷が発生してしまうものであった。
【０００５】
【発明が解決しようとする課題】
本発明は上記の点に鑑みてなされたものであり、その目的とするところは、小壁と持出し部とが線膨張係数の異なる材料で形成してあっても、温度変化による伸縮によって小壁と持出し部とに割れ等の損傷が発生しない浴室ユニットの持出し部と小壁の取付構造を提供することを課題とするものである。
【０００６】
【課題を解決するための手段】
上記課題を解決するために本発明に係る浴室ユニットの持出し部と小壁の取付構造は、一側面の横方向の一部に略箱状の持出し部２を出窓状に張り出すと共に、前記一側面に持出し部２に隣接して側壁１の一部となる小壁３を設ける浴室ユニットＵにおいて、持出し部２の小壁３が接続される端部に内壁面に係止部４１を設けた開口溝４を形成し、該開口溝４に開口縁側に露出する端面に螺着孔５３を設けて且つ前記係止部４１に係止される被係止部５１を設けた挿入部材５を挿入し、小壁３の持出し部２が接続される端部に螺着具挿通孔３１を形成し、螺着具５２を前記小壁３の螺着具挿通孔３１に挿通して持出し部２の開口溝４に挿入した挿入部材５の螺着孔５２に螺着して成ることを特徴とするものである。このような構成とすることで、持出し部２と小壁３とが線膨張係数の異なる材料で形成してあって温度変化によってこれらが伸縮率の異なる伸縮を行っても、挿入部材５が持出し部２の開口溝４内で上下動自在に挿入されるため、持出し部２と小壁３の伸縮差を逃がすことが可能となる。
【０００７】
また、持出し部２の上下方向を長手方向とする端片２６を両側からそれぞれ挿入部材５と小壁３とで挟持して固定することが好ましい。このような構成とすることで、持出し部２の上下方向に長い端片２６を挿入部材５と小壁３とで挟持するという簡単な構成で持出し部２と小壁３の伸縮差を逃がすことが可能となる。
【０００８】
また、浴室ユニットＵの床パン１４の周端縁の縦片１８に被嵌される切欠７を持出し部２の下端部に形成することが好ましい。このような構成とすることで、持出し部２の下端部に床パン１４の縦片１８に取付けるための別の部材を取付ける必要がなく、工程と部品数およびコストの削減が可能となる。
【０００９】
【発明の実施の形態】
以下、本発明を添付図面に示す実施形態に基づいて説明する。
【００１０】
図３に示すように建物内（特に図示せず）には、建物躯体としての壁部や天井部や床部に囲まれて浴室スペースＹ及び脱衣室スペースＤとが隣接して形成してあり、この浴室スペースＹには浴室ユニットＵを設置するものであり、以下に説明する。
【００１１】
浴室ユニットＵは、図３に示すように、浴室スペースＹを囲んでいる壁部や天井部の内面に沿って若干の隙間を介して配設されるもので、脱衣室スペースＤ側以外の側壁１となって建物躯体の壁部に面する三方のユニット側壁部と、ユニット天井部（図示せず）及びユニット床部（後述する床パン１４）と、脱衣室スペースＤ側の側壁となる間仕切り部とで主体が構成される。
【００１２】
ユニット側壁部は、浴室スペースＹを囲んでいる建物躯体の三方の壁部とそれぞれほぼ同形状で若干小さく特に上下方向は更に小さく形成してあり、隣接するユニット側壁部同士は側端縁にて接合してある。ユニット天井部は下方に開口する略箱状をしたもので、平面視において浴室スペースＹの平面視形状とほぼ同じであるが若干小さく形成してある。このユニット天井部は、下端の開口縁の三辺を上記ユニット側壁部の上端縁にそれぞれ接合してある。また、ユニット床部は、平面視における形状がユニット天井部と同形状をした板状のもので、周端縁の三辺を上記ユニット側壁部の下端縁にそれぞれ接合してある。そして、脱衣室スペースＤ側の側面には、浴室スペースＹと脱衣室スペースＤとを間仕切る後述する間仕切り部を設けてあり、このようなユニット側壁部とユニット天井部及びユニット床部と、間仕切り部とによって内部に浴室空間が形成される。この浴室空間は、略中央部を境にして一方の略半部を洗い場スペースＳ１とすると共に、他方の略半部を浴槽スペースＳ２とするものである。本実施形態では、浴槽スペースＳ２と洗い場スペースＳ１は脱衣室スペースＤから見て左右に隣接するように配置される。
【００１３】
また、ユニット床部は、本実施形態では床パン１４として形成してある。これは、図３（ｂ）に示すように、周端部から上方に向けて立上り部１５を立上げると共に、洗い場スペースＳ１と浴槽スペースＳ２との境界に堤部１６を形成してある。更に、立上がり部１５の上周端縁からは、外方にフランジ状をした略水平な載置部１７が連設され、更に、載置部１７の外周端縁からは上方に向けて縦片１８が連設してある。床パン１４の載置部１７には、ユニット側壁部の下端部が載置され、更にユニット側壁部の下端部に形成してある係止部を載置部１７の外周端縁から上方に連設される縦片１８に係止して固定するものである。
【００１４】
間仕切り部は、本実施形態においては、図３に示すように、それぞれ浴室ユニットＵの浴槽スペースＳ２の側壁１となる持出し部２と、洗い場スペースＳ１の側壁１となるドア部６と、持出し部２とドア部６とを接続する小壁３とで構成される。
【００１５】
持出し部２は、浴槽スペースＳ２の脱衣室スペースＤとの間の間仕切りを兼用する側壁１となるもので、浴槽スペースＳ２側に開口する略箱形状をしたものである。持出し部２の持出し天井部２１と持出し床部２２の開口側の端縁はそれぞれ浴室ユニットＵのユニット天井部とユニット床部に接続され、持出し部２の両側の側壁部２４の開口側の端縁はそれぞれユニット側壁部と小壁３とに接続される。特に、小壁３に接続される側の持出し部２の側壁部２４は浴室ユニットＵの側壁部１から突出する状態となるため（即ち図３に示すように小壁３及びドア部６から突出する状態となるため）、この側壁部１を突出側壁部２４ａとし、他方の側壁部２４（即ちユニット側壁部と接続される側の側壁部２４）を持出し側壁部２４ｂとする。
【００１６】
ドア部６は、洗い場スペースＳ１の脱衣室スペースＤとの間仕切りを兼用する側壁１となるもので、浴室ユニットＵのユニット側壁部やユニット天井部及びユニット床部に取付けられるドア枠部６１と、ドア枠部６１の内部に開閉自在に取付けられるドア本体６２とで形成されるものである。
【００１７】
このような浴室ユニットＵには、浴槽スペースＳ２及び持出し部２に浴槽Ｔが配設される。浴槽Ｔは、図３に示すように、上方に開口する略箱状をした浴槽本体の上端周縁から外側に連設されるフランジ部Ｔ１と、フランジ部Ｔ１の外周縁から下方に連設されるリム部とで形成され、リム部と床パン１４の堤部１６との間にはエプロン部材Ｔ２が設けられる。フランジ部Ｔ１は、平面視形状が浴槽スペースＳ２及び持出し部２の外郭とほぼ同じであるが若干小さく形成してあり、前記浴槽スペースＳ２及び持出し部２の外郭にほぼ沿って配設される。また、エプロン部材Ｔ２は、リム部と浴室ユニットＵの堤部１６との間の隙間を覆い隠すものである。
【００１８】
以上のような浴室ユニットＵの持出し部２と小壁３の取付構造について説明する。なお、小壁３は、上述したようにドア部６と持出し部２との間に介在して浴室ユニットＵの側壁１を為すためのものであるが、本発明の持出し部２と小壁３の取付構造は特に持出し部２と小壁３との取付けに限定されず、持出し部２と一般のユニット側壁部等との取付にも適用してもよい。
【００１９】
持出し部２には、図１及び図２に示すように、小壁３が接続される端部（即ち突出側壁部２４ａの開口側の端部）には、開口して後述する挿入部材５が挿入される開口溝４が上下方向に形成してある。開口溝４の持出し部２端部側の開口縁には、該開口溝４に挿入される挿入部材５の抜け止めとなる係止部４１が突設してある。
【００２０】
挿入部材５は、図１及び図２に示すように、上述した開口溝４に挿入されるように開口溝４と大略同じ断面形状となるように形成されるもので、開口溝４の上下方向（即ち長手方向）に挿入される。挿入部材５の幅方向の長さは、開口溝４の開口縁間の長さ（即ち係止部４１の先端とこの先端に対向する開口縁との間）よりも短く形成してあり、開口溝４に容易に挿入可能としてある。また挿入部材５には、開口溝４に挿入された際に開口縁側に露出する端面に螺着孔５３を設けてあり、この螺着孔５３には後述する小壁３の螺着具挿通孔３１に挿通された螺着具５２が螺着される。
【００２１】
小壁３は、挿入部材５を介して持出し部２に取付けられるもので、浴室ユニットＵの側壁１の一部となるものである。この小壁３は、本実施形態においては図１及び図２に示すように、板状部材を組み合わせたような形状をしており、持出し部２に取付けられる際に持出し部２に対向する面には、螺着具５２が挿通される螺着具挿通孔３１が設けられる。この螺着具挿通孔３１に挿入部材５が取付けられる側と反対側からドライバーのような工具９１を挿入可能とするため、小壁３には適宜切欠や孔等が開口してある。
【００２２】
このような持出し部２，挿入部材５，小壁３を取付けるには、まず図２（ａ）に示すように、螺着具５２を小壁３の螺着具挿通孔３１に挿通して挿入部材５の螺着孔５３に螺入する。この状態においては、挿入部材５は、取付いている螺着具５２の先端が螺着孔５３に螺入されているのみで、螺着具５２の螺着具挿通孔３１に対する長手方向への動き及び回動が可能であって挿入部材５が小壁３に対して動き得るものである。次に図２（ｂ）に示すように、挿入部材５を持出し部２の開口溝４に挿入する。そして図２（ｃ）に示すように、ドライバー等の工具９１で螺着具５２を挿入部材５の螺着孔５３に締め付けていく。これによって、挿入部材５と小壁３とが螺着具５２によって固着され、即ち、挿入部材５の螺着孔５３が設けてある端面と小壁３の螺着具挿通孔３１が設けてある端面とが螺着具５２の締結によって圧接され、挿入部材５の被係止部５１を形成した端面と小壁３の内壁片とで持出し部２の端片を挟持固定するものである。
【００２３】
このような構成によれば、持出し部２の開口溝４方向（即ち上下方向）に長い端片を両側からそれぞれ挿入部材５の端面５４と小壁３の内壁片３２とで挟持して固定することとなって、持出し部２と小壁３とが線膨張係数の異なる材料で形成してあって温度変化によってこれらが伸縮率の異なる伸縮を行っても、持出し部２を挿入部材５と小壁３とで上述したように挟持してあるため挟持部にて互いにずれて伸縮差を逃がすことが可能となる。
【００２４】
また、持出し部２の開口溝４の係止部４１と挿入部材５の被係止部５１が係止することで、挿入部材５の開口溝４からの脱落を防止することができる。
【００２５】
次に、持出し部２の下端部の浴室ユニットＵへの取付けについて説明する。これは図４に示すように、持出し部２の下端部に切欠７を形成し、この切欠７を床パン１４の縦片に被嵌するものである。なお、図４においては便宜上、持出し部２の開口溝４を省略して図示してある。
【００２６】
持出し部２には、図４（ａ）に示すように、床パン１４の載置部１７に対応する位置に載置部１７に載置される下板２５を設けてあり、側壁部２４の床パン１４の縦片１８に対応する位置に切欠７が形成してある。そして、図４（ｃ）に示すように、床パン１４の載置部１７に持出し部２の下板２５を載置すると共に側壁部２４の下端の切欠７を床パン１４の縦片１８に被嵌して持出し部２を床パン１４に取付けるものである。また、切欠７は、図４（ｂ）に示すように、開口側ほど幅広となる傾斜７１を設けてもよく、この場合、持出し部２の切欠７を床パン１４の縦片１８に被嵌し易くなる。
【００２７】
このように持出し部２に切欠７を形成することで、持出し部２の下端部に床パン１４の縦片１８に取付けるための別の部材を取付ける必要がなく、工程と部品数およびコストの削減が可能となる。
【００２８】
【発明の効果】
上記のように本発明の請求項１記載の発明にあっては、一側面の横方向の一部に略箱状の持出し部を出窓状に張り出すと共に、前記一側面に持出し部に隣接して側壁の一部となる小壁を設ける浴室ユニットにおいて、持出し部の小壁が接続される端部に内壁面に係止部を設けた開口溝を形成し、該開口溝に開口縁側に露出する端面に螺着孔を設けて且つ前記係止部に係止される被係止部を設けた挿入部材を挿入し、小壁の持出し部が接続される端部に螺着具挿通孔を形成し、螺着具を前記小壁の螺着具挿通孔に挿通して持出し部の開口溝に挿入した挿入部材の螺着孔に螺着したので、持出し部と小壁とが線膨張係数の異なる材料で形成してあって温度変化によってこれらが伸縮率の異なる伸縮を行っても、挿入部材が持出し部の開口溝内で上下動自在に挿入されるため、持出し部と小壁の伸縮差を逃がすことが可能となる。
【００２９】
また請求項２記載の発明にあっては、上記請求項１記載の発明の効果に加えて、持出し部の上下方向を長手方向とする端片を両側からそれぞれ挿入部材と小壁とで挟持して固定するので、持出し部の上下方向に長い端片を挿入部材と小壁とで挟持するという簡単な構成で持出し部と小壁の伸縮差を逃がすことが可能となる。
【００３０】
また請求項３記載の発明にあっては、上記請求項１又は２記載の発明の効果に加えて、浴室ユニットの床パンの周端縁の縦片に被嵌される切欠を持出し部の下端部に形成したので、持出し部の下端部に床パンの縦片に取付けるための別の部材を取付ける必要がなく、工程と部品数およびコストの削減が可能となる。
【図面の簡単な説明】
【図１】本発明の一実施形態の要部の一部省略した斜視図である。
【図２】同上において小壁の持出し部への取付けを説明する図であり、（ａ）は小壁に取付けた挿入部材を持出し部の開口溝に挿入する前の状態を示す断面図であり、（ｂ）は挿入部材を開口溝に挿入して固定する前の状態を示す断面図であり、（ｃ）は挿入部材を開口溝に挿入して固定した状態を示す断面図である。
【図３】浴室ユニットを示し、（ａ）は平面断面図であり、（ｂ）は一部透視した要部側面図である。
【図４】同上における持出し部を示し、（ａ）は全体の斜視図であり、（ｂ）は要部の斜視図であり、（ｃ）は床パンに載置した状態の要部の斜視図である。
【符号の説明】
１　　側壁
２　　持出し部
３　　小壁
３１　螺着具挿通孔
４　　開口溝
４１　係止部
５　　挿入部材
５１　被係止部
５２　螺着具
５３　螺着孔
Ｕ　　浴室ユニット
【図１】
2004060236.tif 000003
【図２】
2004060236.tif 000004
【図３】
2004060236.tif 000005
【図４】
2004060236.tif 000006